(57)【要約】【課題】２つのドラムを備えた二色印刷可能な孔版印刷装置において、印刷面のインクの転写を抑えて両面印刷を行うことのできる孔版印刷装置およびこれを用いた印刷方法を提供する。【解決手段】第１ドラム１０と、第２ドラム２０と、第１ドラム１０の上流側から第２ドラム２０の下流側まで用紙を搬送する順方向搬送経路４０とを備えた二色印刷可能な孔版印刷装置である。順方向搬送経路４０を搬送中に上面に印刷された用紙を、印刷面に接触しないで、第２ドラム２０の下流側から第１ドラム１０の上流側まで搬送し表裏反転した状態で順方向搬送経路４０に再供給可能な逆方向搬送経路６０を備える。【選択図】図１
2010030170.tif 000002
【特許請求の範囲】
【請求項１】
第１ドラムと、第２ドラムと、前記第１ドラムの上流側から前記第２ドラムの下流側まで用紙を搬送する順方向搬送経路とを備えた二色印刷可能な孔版印刷装置において、
前記順方向搬送経路を搬送中に上面に印刷された用紙を、印刷面に接触しないで、前記第２ドラムの下流側から前記第１ドラムの上流側まで搬送し表裏反転した状態で前記順方向搬送経路に再供給可能な逆方向搬送経路を備えたことを特徴とする孔版印刷装置。
【請求項２】
前記第２ドラムの下流側で、前記順方向搬送経路を搬送された用紙を、排紙経路または前記逆方向搬送経路のいずれかに誘導する経路切り換え手段を備えたことを特徴とする請求項１記載の孔版印刷装置。
【請求項３】
前記逆方向搬送経路は、前記経路切り換え手段により当該逆方向搬送経路に誘導される用紙を、表裏反転させずに非印刷面を吸着支持して前記第２ドラムの下流方向に引き込む用紙引き込み部と、前記用紙の非印刷面を吸着支持して前記第２ドラムの下流側から前記第１ドラムの上流側まで搬送する逆方向搬送部と、前記第１ドラムの上流側で、前記用紙の非印刷面を吸着支持して表裏反転させる表裏反転部と、を備えたことを特徴とする請求項２記載の孔版印刷装置。
【請求項４】
前記逆方向搬送部は、駆動部材により駆動可能で、かつ、用紙を搬送面に吸引可能な吸引部材を備えた無端ベルトで構成され、当該無端ベルトを一方向に駆動することにより、非印刷面を搬送面に吸着支持した状態の前記用紙を前記第２ドラムの下流側から前記第１ドラムの上流側まで搬送することを特徴とする請求項３記載の孔版印刷装置。
【請求項５】
前記用紙引き込み部は、駆動部材により駆動可能で、かつ、用紙を搬送面に吸引可能な吸引部材を備えた無端ベルトで構成され、前記用紙を引き込むときは、前記無端ベルトを前記逆方向搬送部の無端ベルトとは反対方向に駆動することにより、前記用紙の非印刷面を搬送面に吸着支持して前記第２ドラムの下流方向に引き込み、また、前記無端ベルトを前記逆方向搬送部の無端ベルトと同方向に前記逆方向搬送部の無端ベルトと同期して駆動することにより、前記用紙を前記第２ドラムの上流方向に搬送することを特徴とする請求項３または請求項４記載の孔版印刷装置。
【請求項６】
前記表裏反転部は、駆動部材により駆動可能で、かつ、用紙を搬送面に吸引可能な吸引部材を備えた無端ベルトで構成され、当該無端ベルトの搬送面を下から上へ駆動することにより、前記用紙の非印刷面を吸着支持して表裏反転させることを特徴とする請求項３〜５のいずれか１項記載の孔版印刷装置。
【請求項７】
前記表裏反転部が表裏反転させた用紙は、前記第１ドラムの上流側に備えた給紙ローラを介して前記順方向搬送経路に再供給されることを特徴とする請求項３〜６のいずれか１項記載の孔版印刷装置。
【請求項８】
前記順方向搬送経路の用紙搬送速度に対して、前記逆方向搬送経路の用紙搬送速度を独立して制御可能であることを特徴とする請求項１〜７のいずれか１項記載の孔版印刷装置。
【請求項９】
請求項１〜８のいずれか１項記載の孔版印刷装置を用いて印刷する印刷方法であって、
前記順方向搬送経路に沿って前記第１ドラムで用紙の一方の面に印刷し、前記第２ドラムではプレス無しで前記用紙を通過させた後、前記逆方向搬送経路を経て前記順方向搬送経路に再供給した前記用紙を前記第１ドラムではプレス無しで通過させ、前記第２ドラムで前記用紙の他方の面に印刷することを特徴とする孔版印刷方法。
【請求項１０】
請求項１〜８のいずれか１項記載の孔版印刷装置を用いて印刷する印刷方法であって、
前記順方向搬送経路に沿って前記第１ドラムではプレス無しで用紙を通過させ、前記第２ドラムで前記用紙の一方の面に印刷した後、前記逆方向搬送経路を経て前記順方向搬送経路に再供給した前記用紙を前記第１ドラムで他方の面に印刷し、前記第２ドラムではプレス無しで前記用紙を通過させることを特徴とする孔版印刷方法。
【請求項１１】
請求項１〜８のいずれか１項記載の孔版印刷装置を用いて印刷する印刷方法であって、
前記第１，第２ドラムの周面長さを２分割した２つの半周面にそれぞれ１枚ずつ割り当て可能な短尺用紙を用いる場合、前記順方向搬送経路に沿って前記第１ドラムの一方の半周面で用紙の一方の面に印刷し、前記第２ドラムではプレス無しで前記用紙を通過させた後、前記逆方向搬送経路を経て前記順方向搬送経路に再供給した前記用紙を前記第１ドラムの他方の半周面で他方の面に印刷し、前記第２ドラムではプレス無しで前記用紙を通過させることを特徴とする孔版印刷方法。
【請求項１２】
請求項１〜８のいずれか１項記載の孔版印刷装置を用いて印刷する印刷方法であって、
前記第１，第２ドラムの周面長さを２分割した２つの半周面にそれぞれ１枚ずつ割り当て可能な短尺用紙を用いる場合、前記順方向搬送経路に沿って前記第１ドラムではプレス無しで用紙を通過させ、前記第２ドラムの一方の半周面で前記用紙の一方の面に印刷した後、前記逆方向搬送経路を経て前記順方向搬送経路に再供給した前記用紙を前記第１ドラムではプレス無しで通過させ、前記第２ドラムの他方の半周面で前記用紙の他方の面に印刷することを特徴とする孔版印刷方法。
【請求項１３】
請求項１〜８のいずれか１項記載の孔版印刷装置を用いて印刷する印刷方法であって、
前記第１，第２ドラムの周面長さを２分割した２つの半周面にそれぞれ１枚ずつ割り当て可能な短尺用紙を用いる場合、前記順方向搬送経路に沿って前記第１，第２ドラムの一方の半周面で用紙の一方の面に二色印刷した後、前記逆方向搬送経路を経て前記順方向搬送経路に再供給した前記用紙を前記第１，第２ドラムの他方の半周面で他方の面に二色印刷することを特徴とする孔版印刷方法。
【発明の詳細な説明】
【技術分野】
【０００１】
この発明は、孔版印刷装置およびこれを用いた印刷方法に関するものである。
【背景技術】
【０００２】
一般に、第１ドラムと第２ドラムとの２つのドラムを備え、両ドラムに別色のインクを使用することで二色印刷が可能な孔版印刷装置がある。
【０００３】
一方、孔版印刷装置には、両面印刷が可能なものもある。
【特許文献１】特開２００６−９５９７４号公報
【発明の開示】
【発明が解決しようとする課題】
【０００４】
しかしながら、従来の両面印刷が可能な孔版印刷装置の場合、片面印刷済みの用紙を、別の片面を印刷するため搬送する搬送部に、先に印刷した印刷面のインクが転写しやすく、その転写を防止することが困難である。
【０００５】
この発明は、上記課題を解決するために為されたものであり、２つのドラムを備えた二色印刷可能な孔版印刷装置において、印刷面のインクの転写を抑えて両面印刷を行うことのできる孔版印刷装置およびこれを用いた印刷方法を提供することを目的とする。
【課題を解決するための手段】
【０００６】
請求項１に係る発明は、第１ドラムと、第２ドラムと、前記第１ドラムの上流側から前記第２ドラムの下流側まで用紙を搬送する順方向搬送経路とを備えた二色印刷可能な孔版印刷装置において、前記順方向搬送経路を搬送中に上面に印刷された用紙を、印刷面に接触しないで、前記第２ドラムの下流側から前記第１ドラムの上流側まで搬送し表裏反転した状態で前記順方向搬送経路に再供給可能な逆方向搬送経路を備えたことを特徴とする。
【０００７】
請求項２に係る発明は、請求項１記載の発明において、前記第２ドラムの下流側で、前記順方向搬送経路を搬送された用紙を、排紙経路または前記逆方向搬送経路のいずれかに誘導する経路切り換え手段を備えたことを特徴とする。
【０００８】
請求項３に係る発明は、請求項２記載の発明において、前記逆方向搬送経路は、前記経路切り換え手段により当該逆方向搬送経路に誘導される用紙を、表裏反転させずに非印刷面を吸着支持して前記第２ドラムの下流方向に引き込む用紙引き込み部と、前記用紙の非印刷面を吸着支持して前記第２ドラムの下流側から前記第１ドラムの上流側まで搬送する逆方向搬送部と、前記第１ドラムの上流側で、前記用紙の非印刷面を吸着支持して表裏反転させる表裏反転部と、を備えたことを特徴とする。
【０００９】
請求項４に係る発明は、請求項３記載の発明において、前記逆方向搬送部は、駆動部材により駆動可能で、かつ、用紙を搬送面に吸引可能な吸引部材を備えた無端ベルトで構成され、当該無端ベルトを一方向に駆動することにより、非印刷面を搬送面に吸着支持した状態の前記用紙を前記第２ドラムの下流側から前記第１ドラムの上流側まで搬送することを特徴とする。
【００１０】
請求項５に係る発明は、請求項３または請求項４記載の発明において、前記用紙引き込み部は、駆動部材により駆動可能で、かつ、用紙を搬送面に吸引可能な吸引部材を備えた無端ベルトで構成され、前記用紙を引き込むときは、前記無端ベルトを前記逆方向搬送部の無端ベルトとは反対方向に駆動することにより、前記用紙の非印刷面を搬送面に吸着支持して前記第２ドラムの下流方向に引き込み、また、前記無端ベルトを前記逆方向搬送部の無端ベルトと同方向に前記逆方向搬送部の無端ベルトと同期して駆動することにより、前記用紙を前記第２ドラムの上流方向に搬送することを特徴とする。
【００１１】
請求項６に係る発明は、請求項３〜５のいずれか１項記載の発明において、前記表裏反転部は、駆動部材により駆動可能で、かつ、用紙を搬送面に吸引可能な吸引部材を備えた無端ベルトで構成され、当該無端ベルトの搬送面を下から上へ駆動することにより、前記用紙の非印刷面を吸着支持して表裏反転させることを特徴とする。
【００１２】
請求項７に係る発明は、請求項３〜６のいずれか１項記載の発明において、前記表裏反転部が表裏反転させた用紙は、前記第１ドラムの上流側に備えた給紙ローラを介して前記順方向搬送経路に再供給されることを特徴とする。
【００１３】
請求項８に係る発明は、請求項１〜７のいずれか１項記載の発明において、前記順方向搬送経路の用紙搬送速度に対して、前記逆方向搬送経路の用紙搬送速度を独立して制御可能であることを特徴とする。
【００１４】
請求項９に係る発明は、請求項１〜８のいずれか１項記載の孔版印刷装置を用いて印刷する印刷方法であって、前記順方向搬送経路に沿って前記第１ドラムで用紙の一方の面に印刷し、前記第２ドラムではプレス無しで前記用紙を通過させた後、前記逆方向搬送経路を経て前記順方向搬送経路に再供給した前記用紙を前記第１ドラムではプレス無しで通過させ、前記第２ドラムで前記用紙の他方の面に印刷することを特徴とする。
【００１５】
請求項１０に係る発明は、請求項１〜８のいずれか１項記載の孔版印刷装置を用いて印刷する印刷方法であって、前記順方向搬送経路に沿って前記第１ドラムではプレス無しで用紙を通過させ、前記第２ドラムで前記用紙の一方の面に印刷した後、前記逆方向搬送経路を経て前記順方向搬送経路に再供給した前記用紙を前記第１ドラムで他方の面に印刷し、前記第２ドラムではプレス無しで前記用紙を通過させることを特徴とする。
【００１６】
請求項１１に係る発明は、請求項１〜８のいずれか１項記載の孔版印刷装置を用いて印刷する印刷方法であって、前記第１，第２ドラムの周面長さを２分割した２つの半周面にそれぞれ１枚ずつ割り当て可能な短尺用紙を用いる場合、前記順方向搬送経路に沿って前記第１ドラムの一方の半周面で用紙の一方の面に印刷し、前記第２ドラムではプレス無しで前記用紙を通過させた後、前記逆方向搬送経路を経て前記順方向搬送経路に再供給した前記用紙を前記第１ドラムの他方の半周面で他方の面に印刷し、前記第２ドラムではプレス無しで前記用紙を通過させることを特徴とする。
【００１７】
請求項１２に係る発明は、請求項１〜８のいずれか１項記載の孔版印刷装置を用いて印刷する印刷方法であって、前記第１，第２ドラムの周面長さを２分割した２つの半周面にそれぞれ１枚ずつ割り当て可能な短尺用紙を用いる場合、前記順方向搬送経路に沿って前記第１ドラムではプレス無しで用紙を通過させ、前記第２ドラムの一方の半周面で前記用紙の一方の面に印刷した後、前記逆方向搬送経路を経て前記順方向搬送経路に再供給した前記用紙を前記第１ドラムではプレス無しで通過させ、前記第２ドラムの他方の半周面で前記用紙の他方の面に印刷することを特徴とする。
【００１８】
請求項１３に係る発明は、請求項１〜８のいずれか１項記載の孔版印刷装置を用いて印刷する印刷方法であって、前記第１，第２ドラムの周面長さを２分割した２つの半周面にそれぞれ１枚ずつ割り当て可能な短尺用紙を用いる場合、前記順方向搬送経路に沿って前記第１，第２ドラムの一方の半周面で用紙の一方の面に二色印刷した後、前記逆方向搬送経路を経て前記順方向搬送経路に再供給した前記用紙を前記第１，第２ドラムの他方の半周面で他方の面に二色印刷することを特徴とする。
【発明の効果】
【００１９】
この発明は以上のように、第１ドラムと、第２ドラムと、前記第１ドラムの上流側から前記第２ドラムの下流側まで用紙を搬送する順方向搬送経路とを備えた二色印刷可能な孔版印刷装置において、前記順方向搬送経路を搬送中に上面に印刷された用紙を、印刷面に接触しないで、前記第２ドラムの下流側から前記第１ドラムの上流側まで搬送し表裏反転した状態で前記順方向搬送経路に再供給可能な逆方向搬送経路を備えた構成としたので、印刷面のインクの転写を抑えて両面印刷を行うことができる。
【発明を実施するための最良の形態】
【００２０】
この発明の実施の形態を、図面を参照して説明する。
【００２１】
図１は、この発明による孔版印刷装置の一実施形態を示す概略的構成図であり、この孔版印刷装置１は、第１ドラム１０と、第２ドラム２０とを備えた二色印刷可能なものである。
【００２２】
孔版印刷装置１は、また、給紙部３０から供給される用紙を、第１ドラム１０の上流側から第２ドラム２０の下流側まで搬送する順方向搬送経路４０を備えたものである。
【００２３】
孔版印刷装置１は、さらに、順方向搬送経路４０を搬送中に上面に印刷された用紙を、印刷面に接触しないで、第２ドラム２０の下流側から第１ドラム１０の上流側まで搬送し表裏反転した状態で順方向搬送経路４０に再供給可能な逆方向搬送経路６０を備えたものである。
【００２４】
第１ドラム１０は、円周上所定位置に版（孔版）が装着されるものであり、第１ドラム１０の底部に対して第１プレスローラ１１が、任意の制御により接離可能に構成されている。そして、第１ドラム１０と第１プレスローラ１１とに挟まれる印字領域を、用紙が、第１プレスローラ１１により第１ドラム１０の孔版に押圧されながら通過することで、孔版画像を用紙に転写（印刷、印字）するものである。
【００２５】
同様に、第２ドラム２０は、円周上所定位置に版（孔版）が装着されるものであり、第２ドラム２０の底部に対して第２プレスローラ２１が、任意の制御により接離可能に構成されている。そして、第２ドラム２０と第２プレスローラ２１とに挟まれる印字領域を、用紙が、第２プレスローラ２１により第２ドラム２０の孔版に押圧されながら通過することで、孔版画像を用紙に転写（印刷、印字）するものである。
【００２６】
給紙部３０は、給紙台３１と、捌きローラ３２と、給紙ローラ（レジストローラ）３３とを備えている。
【００２７】
給紙台３１は、枚葉紙（枚葉用紙）を多数枚積載し、最上位の用紙が常に捌きローラ３２に接するように制御されるものである。
【００２８】
捌きローラ３２は、給紙台３１に積載された枚葉紙（枚葉用紙）を最上位の用紙から１枚ずつ捌き、給紙ローラ（レジストローラ）３３に突き当てるものである。
【００２９】
給紙ローラ（レジストローラ）３３は、捌きローラ３２から突き当てられた用紙を、所定の用紙間隔をもって間欠的に送り出すものである。
【００３０】
順方向搬送経路４０は、第１ドラム１０から第２ドラム２０まで用紙を搬送する順方向搬送部４１と、その前後を搬送経路に沿って用紙を搬送（ガイド）する図示しない搬送（ガイド）部材とを備えている。
【００３１】
順方向搬送部４１は、駆動部材（モータ）により駆動可能で、かつ、用紙を搬送面に吸引可能な吸引部材を備えた無端ベルトで構成されたものである。そして、この無端ベルトをモータ（駆動部材）で一方向に駆動することにより、第１ドラム１０で片面（上面）に印刷された用紙の非印刷面（下面）をベルト搬送面に吸引した状態で、第２ドラム２０まで搬送するものである。
【００３２】
第２ドラム２０の下流側には、順方向搬送経路４０を搬送された用紙を、排紙経路７０または逆方向搬送経路６０のいずれかに誘導する経路切り換え手段（排紙フリッパ）５０を備えている。経路切り換え手段（排紙フリッパ）５０は、駆動部材（ソレノイド）の駆動により、図１に実線で示す位置と、鎖線で示す位置とを切り換えられるものである。
【００３３】
経路切り換え手段（排紙フリッパ）５０が図１に実線で示す位置にあるときは、順方向搬送経路４０を搬送された用紙を排紙経路７０に誘導する。一方、経路切り換え手段（排紙フリッパ）５０が図１に鎖線で示す位置にあるときは、順方向搬送経路４０を搬送された用紙を逆方向搬送経路６０に誘導する。
【００３４】
逆方向搬送経路６０は、経路切り換え手段（排紙フリッパ）５０により逆方向搬送経路６０に誘導される用紙を、表裏反転させずに非印刷面を吸着支持して第２ドラム２０の下流方向に引き込む用紙引き込み部６１と、用紙の非印刷面を吸着支持して第２ドラム２０の下流側から第１ドラム１０の上流側まで搬送する逆方向搬送部６２と、第１ドラム１０の上流側で、用紙の非印刷面を吸着支持して表裏反転させる表裏反転部６３とを備えたものである。
【００３５】
用紙引き込み部６１は、駆動部材（モータ）により駆動可能で、かつ、用紙を搬送面に吸引可能な吸引部材を備えた無端ベルトで構成されたものである。そして、用紙を引き込むときは、無端ベルトをモータ（駆動部材）で逆方向搬送部６２の後述する無端ベルトとは反対方向に駆動することにより、用紙の非印刷面を搬送面に吸着支持して第２ドラム２０の下流方向に引き込む。また、無端ベルトを逆方向搬送部６２の無端ベルトと同方向に、しかも逆方向搬送部６２の無端ベルトと同期して駆動することにより、用紙を第２ドラム２０の上流方向に搬送するものである。
【００３６】
逆方向搬送部６２は、駆動部材（モータ）により駆動可能で、かつ、用紙を搬送面に吸引可能な吸引部材を備えた無端ベルトで構成されたものである。そして、この無端ベルトをモータ（駆動部材）で一方向に駆動することにより、非印刷面を搬送面に吸着支持した状態の用紙を第２ドラム２０の下流側から第１ドラム１０の上流側まで搬送するものである。
【００３７】
表裏反転部６３は、駆動部材（モータ）により駆動可能で、かつ、用紙を搬送面に吸引可能な吸引部材を備えた無端ベルトで構成されたものである。そして、この無端ベルトの搬送面をモータ（駆動部材）で下から上へ駆動することにより、用紙の非印刷面を吸着支持して表裏反転させるものである。
【００３８】
表裏反転部６３が表裏反転させた用紙は、第１ドラム１０の上流側に配置された給紙ローラ（レジストローラ）３３を介して、順方向搬送経路４０に再供給されるものである。
【００３９】
また、順方向搬送経路４０の用紙搬送速度に対して、逆方向搬送経路６０の用紙搬送速度を独立して制御可能である。
【００４０】
排紙経路７０は、経路切り換え手段（排紙フリッパ）５０により排紙経路７０に誘導される用紙を、図示しない排紙部に向けて搬送する排紙搬送部７１を備えている。
【００４１】
排紙搬送部７１は、駆動部材（モータ）により駆動可能で、かつ、用紙を搬送面に吸引可能な吸引部材を備えた無端ベルトで構成されたものである。そして、この無端ベルトをモータ（駆動部材）で一方向に駆動することにより、排紙経路７０に誘導された用紙の下面をベルト搬送面に吸引した状態で、排紙部まで搬送するものである。
【００４２】
図２は、孔版印刷装置１の制御系統８０の一実施形態を示すブロック図であり、制御系統８０は、原稿データを読み取り、かつ、原稿サイズを検出するスキャナ８１と、スキャナ８１で読み取った原稿データまたは、ＰＣ８２から送信される原稿データをＩ／Ｆ部８３を介して保存するデータバッファ８４と、データバッファ８４に保存した原稿データを画像処理し、かつ、画像データのレイアウトも行う画像処理部８５と、画像処理部８５で処理した画像データに基づいてマスタに製版するＴＰＨ８６と、各部の駆動部８７と、駆動部８７を制御して、プレス切り換えや用紙反転を行わせる制御部８８と、制御系統８０全体をコントロールするＣＰＵ８９と、操作パネル９０とで構成される。
【００４３】
操作パネル９０は、図３に示すように、モード選択キー９１、ドラム選択キー９２、テンキー９３等の他、表示画面（タッチパネル）９４を備えている。
【００４４】
モード選択キー９１は、これを押すことで、「二色」、「二色・両面」、「両面」、「単色」の選択を行うキーであり、それぞれＬＥＤ表示するようになっている。
【００４５】
ドラム選択キー９２は、片方のドラムしか使わないようなケースで、どちらのドラムを優先して使用するかの選択を行うキーである。
【００４６】
また、表示画面（タッチパネル）９４を用いて、レイアウト選択を行うことができるようになっている。
【００４７】
次に、図４〜図７を参照して、スキャナ製版時の制御系統８０（ＣＰＵ８９）による制御フローについて説明する。
【００４８】
まず、図４に示すように、モード選択キー９１により「二色」が選択されたか否かを判別する（ステップＳ１０１）。
【００４９】
「二色」が選択された場合（ステップＳ１０１のＹＥＳ）、続いて、モード選択キー９１により「両面」が選択されたか否かを判別する（ステップＳ１０２）。
【００５０】
「両面」が選択された場合（ステップＳ１０２のＹＥＳ）、ドラム１（第１ドラム１０）トップ（上半分）側の原稿をスキャンする（ステップＳ１０３）。
【００５１】
原稿サイズがＡ４以下であるか否かを判別する（ステップＳ１０４）。原稿サイズがＡ４より大きい場合（ステップＳ１０４のＮＯ）、ワーニングで作業者に報知し（ステップＳ１０５）、作業者が続行を指示しない場合（ステップＳ１０６のＮＯ）は終了する。
【００５２】
原稿サイズがＡ４以下である場合（ステップＳ１０４のＹＥＳ）、または、作業者が続行を指示した場合（ステップＳ１０６のＹＥＳ）、ドラム１（第１ドラム１０）エンド（下半分）側の原稿をスキャンする（ステップＳ１０７）。
【００５３】
原稿サイズがＡ４以下であるか否かを判別する（ステップＳ１０８）。原稿サイズがＡ４より大きい場合（ステップＳ１０８のＮＯ）、ワーニングで作業者に報知し（ステップＳ１０９）、作業者が続行を指示しない場合（ステップＳ１１０のＮＯ）は終了する。
【００５４】
原稿サイズがＡ４以下である場合（ステップＳ１０８のＹＥＳ）、または、作業者が続行を指示した場合（ステップＳ１１０のＹＥＳ）、ドラム１（第１ドラム１０）のマスタを製版する（ステップＳ１１１）。
【００５５】
そして、ドラム２（第２ドラム２０）下流側で用紙を待機させる（ステップＳ１１２）。
【００５６】
つぎに、ドラム２（第２ドラム２０）トップ（上半分）側の原稿をスキャンする（ステップＳ１１３）。
【００５７】
原稿サイズがＡ４以下であるか否かを判別する（ステップＳ１１４）。原稿サイズがＡ４より大きい場合（ステップＳ１１４のＮＯ）、ワーニングで作業者に報知し（ステップＳ１１５）、作業者が続行を指示しない場合（ステップＳ１１６のＮＯ）は終了する。
【００５８】
原稿サイズがＡ４以下である場合（ステップＳ１１４のＹＥＳ）、または、作業者が続行を指示した場合（ステップＳ１１６のＹＥＳ）、ドラム２（第２ドラム２０）エンド（下半分）側の原稿をスキャンする（ステップＳ１１７）。
【００５９】
原稿サイズがＡ４以下であるか否かを判別する（ステップＳ１１８）。原稿サイズがＡ４より大きい場合（ステップＳ１１８のＮＯ）、ワーニングで作業者に報知し（ステップＳ１１９）、作業者が続行を指示しない場合（ステップＳ１２０のＮＯ）は終了する。
【００６０】
原稿サイズがＡ４以下である場合（ステップＳ１１８のＹＥＳ）、または、作業者が続行を指示した場合（ステップＳ１２０のＹＥＳ）、ドラム２（第２ドラム２０）のマスタを製版して（ステップＳ１２１）、終了する。
【００６１】
一方、ステップＳ１０２で「両面」が選択されない場合（ステップＳ１０２のＮＯ）、図５に示すように、ドラム１（第１ドラム１０）の原稿をスキャンし（ステップＳ１３１）、ドラム１（第１ドラム１０）のマスタを製版する（ステップＳ１３２）。
【００６２】
用紙を表裏反転、再給紙し空通紙し（ステップＳ１３３）、ドラム２（第２ドラム２０）下流側で用紙を待機させる（ステップＳ１３４）。
【００６３】
つぎに、ドラム２（第２ドラム２０）の原稿をスキャンし（ステップＳ１３５）、ドラム２（第２ドラム２０）のマスタを製版して（ステップＳ１３６）、終了する。
【００６４】
また、ステップＳ１０１で「二色」が選択されない場合（ステップＳ１０１のＮＯ）、図６に示すように、モード選択キー９１により「両面」が選択されたか否かを判別する（ステップＳ１４１）。
【００６５】
「両面」が選択された場合（ステップＳ１４１のＹＥＳ）、続いて、用紙長さがＡ４横以下であるか否かを判別する（ステップＳ１４２）。
【００６６】
用紙長さがＡ４横より大きい場合（ステップＳ１４２のＮＯ）、ドラム１（第１ドラム１０）の原稿をスキャンし（ステップＳ１４３）、ドラム１（第１ドラム１０）のマスタを製版する（ステップＳ１４４）。
【００６７】
そして、ドラム２（第２ドラム２０）下流側で用紙を待機させる（ステップＳ１４５）。
【００６８】
つぎに、ドラム２（第２ドラム２０）の原稿をスキャンし（ステップＳ１４６）、ドラム２（第２ドラム２０）のマスタを製版して（ステップＳ１４７）、終了する。
【００６９】
一方、用紙長さがＡ４横以下である場合（ステップＳ１４２のＹＥＳ）、続いて、ドラム１（第１ドラム１０）を優先するか否かを判別する（ステップＳ１５１）。
【００７０】
ドラム１（第１ドラム１０）を優先する場合（ステップＳ１５１のＹＥＳ）、ドラム１（第１ドラム１０）トップ（上半分）側の原稿をスキャンし（ステップＳ１５２）、続いて、ドラム１（第１ドラム１０）エンド（下半分）側の原稿をスキャンする（ステップＳ１５３）。
【００７１】
そして、ドラム１（第１ドラム１０）のマスタを製版して（ステップＳ１５４）、終了する。
【００７２】
ドラム１（第１ドラム１０）を優先しない場合（ステップＳ１５１のＮＯ）、ドラム２（第２ドラム２０）トップ（上半分）側の原稿をスキャンし（ステップＳ１６１）、続いて、ドラム２（第２ドラム２０）エンド（下半分）側の原稿をスキャンする（ステップＳ１６２）。
【００７３】
そして、ドラム２（第２ドラム２０）のマスタを製版して（ステップＳ１６３）、終了する。
【００７４】
また、ステップＳ１４１で「両面」が選択されない場合（ステップＳ１４１のＮＯ）、図７に示すように、原稿をスキャンし（ステップＳ１７１）、ドラム１（第１ドラム１０）を優先するか否かを判別する（ステップＳ１７２）。
【００７５】
ドラム１（第１ドラム１０）を優先する場合（ステップＳ１７２のＹＥＳ）、ドラム１（第１ドラム１０）のマスタを製版して（ステップＳ１７３）、終了する。
【００７６】
一方、ドラム１（第１ドラム１０）を優先しない場合（ステップＳ１７２のＮＯ）、ドラム２（第２ドラム２０）のマスタを製版して（ステップＳ１８１）、終了する。
【００７７】
次に、図８〜図１０を参照して、Ｉ／Ｆ製版時の制御系統８０（ＣＰＵ８９）による制御フローについて説明する。
【００７８】
まず、図８に示すように、モード選択キー９１により「二色」が選択されたか否かを判別する（ステップＳ２０１）。
【００７９】
「二色」が選択された場合（ステップＳ２０１のＹＥＳ）、続いて、モード選択キー９１により「両面」が選択されたか否かを判別する（ステップＳ２０２）。
【００８０】
「両面」が選択された場合（ステップＳ２０２のＹＥＳ）、ドラム１（第１ドラム１０）のマスタを製版する（ステップＳ２０３）。
【００８１】
そして、ドラム２（第２ドラム２０）下流側で用紙を待機させる（ステップＳ２０４）。
【００８２】
つぎに、ドラム２（第２ドラム２０）のマスタを製版して（ステップＳ２０５）、終了する。
【００８３】
一方、ステップＳ２０２で「両面」が選択されない場合（ステップＳ２０２のＮＯ）、ドラム１（第１ドラム１０）のマスタを製版する（ステップＳ２１１）。
【００８４】
用紙を表裏反転、再給紙し空通紙し（ステップＳ２１２）、ドラム２（第２ドラム２０）下流側で用紙を待機させる（ステップＳ２１３）。
【００８５】
つぎに、ドラム２（第２ドラム２０）のマスタを製版して（ステップＳ２１４）、終了する。
【００８６】
また、ステップＳ２０１で「二色」が選択されない場合（ステップＳ２０１のＮＯ）、図９に示すように、モード選択キー９１により「両面」が選択されたか否かを判別する（ステップＳ２２１）。
【００８７】
「両面」が選択された場合（ステップＳ２２１のＹＥＳ）、続いて、用紙長さがＡ４横以下であるか否かを判別する（ステップＳ２２２）。
【００８８】
用紙長さがＡ４横より大きい場合（ステップＳ２２２のＮＯ）、ドラム１（第１ドラム１０）のマスタを製版する（ステップＳ２２３）。
【００８９】
そして、ドラム２（第２ドラム２０）下流側で用紙を待機させる（ステップＳ２２４）。
【００９０】
つぎに、ドラム２（第２ドラム２０）のマスタを製版して（ステップＳ２２５）、終了する。
【００９１】
一方、用紙長さがＡ４横以下である場合（ステップＳ２２２のＹＥＳ）、続いて、ドラム１（第１ドラム１０）を優先するか否かを判別する（ステップＳ２３１）。
【００９２】
ドラム１（第１ドラム１０）を優先する場合（ステップＳ２３１のＹＥＳ）、ドラム１（第１ドラム１０）のマスタを製版して（ステップＳ２３２）、終了する。
【００９３】
ドラム１（第１ドラム１０）を優先しない場合（ステップＳ２３１のＮＯ）、ドラム２（第２ドラム２０）のマスタを製版して（ステップＳ２４１）、終了する。
【００９４】
また、ステップＳ２２１で「両面」が選択されない場合（ステップＳ２２１のＮＯ）、図９に示すように、続いて、ドラム１（第１ドラム１０）を優先するか否かを判別する（ステップＳ２５１）。
【００９５】
ドラム１（第１ドラム１０）を優先する場合（ステップＳ２５１のＹＥＳ）、ドラム１（第１ドラム１０）のマスタを製版して（ステップＳ２５２）、終了する。
【００９６】
ドラム１（第１ドラム１０）を優先しない場合（ステップＳ２５１のＮＯ）、ドラム２（第２ドラム２０）のマスタを製版して（ステップＳ２６１）、終了する。
【００９７】
次に、図１１〜図１３を参照して、印刷時の制御系統８０（ＣＰＵ８９）による制御フローについて説明する。
【００９８】
まず、図１１に示すように、モード選択キー９１により「二色」が選択されたか否かを判別する（ステップＳ３０１）。
【００９９】
「二色」が選択された場合（ステップＳ３０１のＹＥＳ）、続いて、モード選択キー９１により「両面」が選択されたか否かを判別する（ステップＳ３０２）。
【０１００】
「両面」が選択された場合（ステップＳ３０２のＹＥＳ）、ドラム１（第１ドラム１０）トップ（上半分）側をプレス動作し（ステップＳ３０３）、続いて、ドラム２（第２ドラム２０）トップ（上半分）側をプレス動作する（ステップＳ３０４）。
【０１０１】
用紙を表裏反転、再給紙し（ステップＳ３０５）、ドラム１（第１ドラム１０）エンド（下半分）側をプレス動作し（ステップＳ３０６）、続いて、ドラム２（第２ドラム２０）エンド（下半分）側をプレス動作する（ステップＳ３０７）。
【０１０２】
設定枚数の印刷が完了するまで（ステップＳ３０８のＮＯ）、ステップＳ３０３〜ステップＳ３０７の動作を繰り返し、設定枚数の印刷が完了したら（ステップＳ３０８のＹＥＳ）、終了する。
【０１０３】
一方、ステップＳ３０２で「両面」が選択されない場合（ステップＳ３０２のＮＯ）、ドラム１（第１ドラム１０）をプレス動作し（ステップＳ３１１）、続いて、ドラム２（第２ドラム２０）をプレス動作する（ステップＳ３１２）。
【０１０４】
設定枚数の印刷が完了するまで（ステップＳ３１３のＮＯ）、ステップＳ３１１〜ステップＳ３１２の動作を繰り返し、設定枚数の印刷が完了したら（ステップＳ３１３のＹＥＳ）、終了する。
【０１０５】
また、ステップＳ３０１で「二色」が選択されない場合（ステップＳ３０１のＮＯ）、図１２に示すように、モード選択キー９１により「両面」が選択されたか否かを判別する（ステップＳ３２１）。
【０１０６】
「両面」が選択された場合（ステップＳ３２１のＹＥＳ）、続いて、用紙長さがＡ４横以下であるか否かを判別する（ステップＳ３２２）。
【０１０７】
用紙長さがＡ４横より大きい場合（ステップＳ３２２のＮＯ）、ドラム１（第１ドラム１０）をプレス動作し（ステップＳ３２３）、続いて、ドラム２（第２ドラム２０）を非プレス通紙する（ステップＳ３２４）。
【０１０８】
用紙を表裏反転、再給紙し（ステップＳ３２５）、ドラム１（第１ドラム１０）を非プレス通紙し（ステップＳ３２６）、続いて、ドラム２（第２ドラム２０）をプレス動作する（ステップＳ３２７）。
【０１０９】
設定枚数の印刷が完了するまで（ステップＳ３２８のＮＯ）、ステップＳ３２３〜ステップＳ３２７の動作を繰り返し、設定枚数の印刷が完了したら（ステップＳ３２８のＹＥＳ）、終了する。
【０１１０】
一方、用紙長さがＡ４横以下である場合（ステップＳ３２２のＹＥＳ）、続いて、ドラム１（第１ドラム１０）を優先するか否かを判別する（ステップＳ３３１）。
【０１１１】
ドラム１（第１ドラム１０）を優先する場合（ステップＳ３３１のＹＥＳ）、ドラム１（第１ドラム１０）トップ（上半分）側をプレス動作し（ステップＳ３３２）、続いて、ドラム２（第２ドラム２０）を非プレス通紙する（ステップＳ３３３）。
【０１１２】
用紙を表裏反転、再給紙し（ステップＳ３３４）、ドラム１（第１ドラム１０）エンド（下半分）側をプレス動作し（ステップＳ３３５）、続いて、ドラム２（第２ドラム２０）を非プレス通紙する（ステップＳ３３６）。
【０１１３】
設定枚数の印刷が完了するまで（ステップＳ３３７のＮＯ）、ステップＳ３３２〜ステップＳ３３６の動作を繰り返し、設定枚数の印刷が完了したら（ステップＳ３３７のＹＥＳ）、終了する。
【０１１４】
ドラム１（第１ドラム１０）を優先しない場合（ステップＳ３３１のＮＯ）、ドラム１（第１ドラム１０）を非プレス通紙し（ステップＳ３４１）、続いて、ドラム２（第２ドラム２０）トップ（上半分）側をプレス動作する（ステップＳ３４２）。
【０１１５】
用紙を表裏反転、再給紙し（ステップＳ３４３）、ドラム１（第１ドラム１０）を非プレス通紙し（ステップＳ３４４）、続いて、ドラム２（第２ドラム２０）エンド（下半分）側をプレス動作する（ステップＳ３４５）。
【０１１６】
設定枚数の印刷が完了するまで（ステップＳ３４６のＮＯ）、ステップＳ３４１〜ステップＳ３４５の動作を繰り返し、設定枚数の印刷が完了したら（ステップＳ３４６のＹＥＳ）、終了する。
【０１１７】
また、ステップＳ３２１で「両面」が選択されない場合（ステップＳ３２１のＮＯ）、図１３に示すように、ドラム１（第１ドラム１０）を優先するか否かを判別する（ステップＳ３５１）。
【０１１８】
ドラム１（第１ドラム１０）を優先する場合（ステップＳ３５１のＹＥＳ）、ドラム１（第１ドラム１０）をプレス動作し（ステップＳ３５２）、続いて、ドラム２（第２ドラム２０）を非プレス通紙する（ステップＳ３５３）。
【０１１９】
設定枚数の印刷が完了するまで（ステップＳ３５４のＮＯ）、ステップＳ３５２〜ステップＳ３５３の動作を繰り返し、設定枚数の印刷が完了したら（ステップＳ３５４のＹＥＳ）、終了する。
【０１２０】
一方、ドラム１（第１ドラム１０）を優先しない場合（ステップＳ３５１のＮＯ）、ドラム１（第１ドラム１０）を非プレス通紙し（ステップＳ３６１）、続いて、ドラム２（第２ドラム２０）をプレス動作する（ステップＳ３６２）。
【０１２１】
設定枚数の印刷が完了するまで（ステップＳ３６３のＮＯ）、ステップＳ３６１〜ステップＳ３６２の動作を繰り返し、設定枚数の印刷が完了したら（ステップＳ３６３のＹＥＳ）、終了する。
【０１２２】
図１４は、例えば４ページ原稿を製版する場合、プリンタドライバでレイアウトを選択・設定すると、製版時に自動的に画像を割り付ける機能を示す説明図である。
【０１２３】
例えば、Ｎアップにおける表裏４ページのページ順・上下向きや、小冊子における表裏４ページのページ順・上下向きは、図１４に示すようになる。
【０１２４】
ところが、孔版印刷装置１の逆方向搬送経路６０を用いて反転再給紙を行うと、表面に対する裏面の搬送方向が天地方向で逆となる。これにより印刷面も逆方向となるため、両面印刷時にミスが生じやすい。
【０１２５】
そこで、図１４に示すように、プリンタドライバ側でレイアウト設定することで、仕上がり状態を視覚的に確認することができ、印刷ミスが生じない。
【０１２６】
上記のようなこの発明による孔版印刷装置、これを用いた印刷方法によれば、以下のような種々の効果が得られる。
【０１２７】
（１）Ａ３等の長尺用紙でも従来の二色片面印刷に加えて両面単色印刷が可能になる。
【０１２８】
（２）用紙の印刷面による搬送部へのインク転写を防止し、次に搬送される用紙を汚さない。
【０１２９】
（３）用紙の搬送にエア吸着を用いており、気流の循環で搬送中の用紙の乾燥を促進することができる。
【０１３０】
（４）Ａ４横等の短尺用紙であれば、１枚のマスターに製版画像を２面割り付けることにより両面二色印刷が可能になる。
【０１３１】
（５）Ａ４横等の短尺用紙であれば、一方のドラムにてマスター１枚で両面印刷が可能になる。
【０１３２】
（６）表面の印刷後から二次給紙への再給紙までに印刷面の乾燥時間を確保することが第２ドラム２０通過後の搬送時間の調整により可能である。
【０１３３】
（７）表面印刷の印字率が高い場合、用紙引き込み部６１上に用紙を一定時間保持してインクの乾燥を促進することが可能である。
【０１３４】
（８）第２ドラム２０下流側の用紙引き込み部６１以降の搬送速度は、上流側に対して独立で制御可能であるから、一次給紙に対するタイミング調整が可能である。
【０１３５】
（９）表面印刷済み用紙が用紙引き込み部６１上にある際、排紙搬送部７１の排気が用紙に吹き付けられて、インクの乾燥を促進させることができる。また、逆方向搬送部６２においても、逆方向搬送部６２からの排気を搬送面側に循環させることにより同様の効果が得られる。
【０１３６】
（１０）ドラム上のマスターに対する製版画像のレイアウトを、プリンタドライバにて設定可能である。すなわち、ページ順・上下向きなどのアレンジが可能である。
【０１３７】
（１１）二色片面印刷時、第１ドラム１０のファーストプリントを空通紙（反転・再給紙した用紙をプレス無しで再び反転）させて第２ドラム２０のファーストプリントでも使用することで、ファーストプリント時の用紙の無駄を無くせる。
【０１３８】
（１２）二色または単色片面印刷時、印刷済みの用紙を空通紙で再循環させることにより、空通紙中に用紙の乾燥を促進させて、排紙台上の用紙積載時における裏移りを防止するモードが設定可能である。
【図面の簡単な説明】
【０１３９】
【図１】この発明による孔版印刷装置の一実施形態を示す概略的構成図である。
【図２】孔版印刷装置の制御系統の一実施形態を示すブロック図である。
【図３】操作パネルの一実施形態を示す概略的構成図である。
【図４】スキャナ製版時の制御フローにおける「二色」・「両面」選択時のフローチャートである。
【図５】スキャナ製版時の制御フローにおける「二色」・「片面」選択時のフローチャートである。
【図６】スキャナ製版時の制御フローにおける「単色」・「両面」選択時のフローチャートである。
【図７】スキャナ製版時の制御フローにおける「単色」・「片面」選択時のフローチャートである。
【図８】Ｉ／Ｆ製版時の制御フローにおける「二色」・「両面」選択時、および「二色」・「片面」選択時のフローチャートである。
【図９】Ｉ／Ｆ製版時の制御フローにおける「単色」・「両面」選択時のフローチャートである。
【図１０】Ｉ／Ｆ製版時の制御フローにおける「単色」・「片面」選択時のフローチャートである。
【図１１】印刷時の制御フローにおける「二色」・「両面」選択時、および「二色」・「片面」選択時のフローチャートである。
【図１２】印刷時の制御フローにおける「単色」・「両面」選択時のフローチャートである。
【図１３】印刷時の制御フローにおける「単色」・「片面」選択時のフローチャートである。
【図１４】プリンタドライバでレイアウトを選択・設定すると、製版時に自動的に画像を割り付ける機能を示す説明図である。
【符号の説明】
【０１４０】
１  孔版印刷装置
１０  第１ドラム（ドラム１）
１１  第１プレスローラ
２０  第２ドラム（ドラム２）
２１  第２プレスローラ
３０  給紙部
３１  給紙台
３２  捌きローラ
３３  給紙ローラ（レジストローラ）
４０  順方向搬送経路
４１  順方向搬送部
５０  経路切り換え手段（排紙フリッパ）
６０  逆方向搬送経路
６１  用紙引き込み部
６２  逆方向搬送部
６３  表裏反転部
７０  排紙経路
７１  排紙搬送部
８０  制御系統
８１  スキャナ
８２  ＰＣ
８３  Ｉ／Ｆ部
８４  データバッファ
８５  画像処理部
８６  ＴＰＨ
８７  駆動部
８８  制御部
８９  ＣＰＵ
９０  操作パネル
９１  モード選択キー
９２  ドラム選択キー
９３  テンキー
９４  表示画面（タッチパネル）
【図１】
2010030170.tif 000003
【図２】
2010030170.tif 000004
【図３】
2010030170.tif 000005
【図４】
2010030170.tif 000006
【図５】
2010030170.tif 000007
【図６】
2010030170.tif 000008
【図７】
2010030170.tif 000009
【図８】
2010030170.tif 000010
【図９】
2010030170.tif 000011
【図１０】
2010030170.tif 000012
【図１１】
2010030170.tif 000013
【図１２】
2010030170.tif 000014
【図１３】
2010030170.tif 000015
【図１４】
2010030170.tif 000016